(57)【要約】【課題】ハンドルロックが不要となった場合に容易に取り外すことのできるブレーカのハンドルロック装置を提供する。【解決手段】ブレーカ２００のハンドル３００の上端より装着するハンドルロック装置において、ハンドルロック本体１の後部に設けたハンドル３００の把手部３０１を嵌合する把手保持部２の外面の少なくとも一面の上部に摘み部３を突設したことを特徴とするブレーカのハンドルロック装置。【選択図】図１
2010067550.tif 000002
【特許請求の範囲】
【請求項１】
ブレーカのハンドルの上端より装着するハンドルロック装置において、ハンドルロック本体に設けたハンドルの把手部を嵌合する把手保持部の外面の少なくとも一面の上部に摘み部を突設したことを特徴とするブレーカのハンドルロック装置。
【請求項２】
ハンドルの把手部を嵌合する把手保持部のハンドルの作動方向の前後外面の少なくともどちらかの上部に摘み部を突設した請求項１に記載のブレーカのハンドルロック装置。
【発明の詳細な説明】
【技術分野】
【０００１】
本発明は、ブレーカのハンドル全体を包み込んで保持するブレーカのハンドルロック装置に関するものである。
【背景技術】
【０００２】
警報器、非常灯等に使用されているブレーカは不用意なハンドル操作によりＯＮ、ＯＦＦがされる事がないようにハンドルロックする必要がある。そのためのブレーカのハンドルロック装置としては図６、図７に示すものが知られている（例えば、特許文献１、２参照）。
【０００３】
このブレーカのハンドルロック装置は、ブレーカ２００のケース２０１のハンドル開口孔２０１ａに臨むハンドル３００の基部３０１を覆うとともに前記ハンドル開口孔２０１ａの孔縁に係止する係止爪１０１ａを設けたロックベース１０１とその後部に連設したハンドル３００の把手部３０２を嵌合する把手保持部１０２とよりなるもので、ハンドル３００全体を包み込んで、開閉機構部をＯＮ、０ＦＦ状態において安定して保持するものである。
【０００４】
そして、このハンドルロック装置は、輸送中の振動や、過電流等によって開閉機構部が強制的に遮断動作しても外れる事がないものとするため、把手保持部１０２の内面に抜け止め用のリブ１０２ａを設けてハンドル３００の把手部３０２に押し込むように強固に嵌合している。ところが、把手保持部１０２の外面にハンドル３００から取り外すための配慮がされていないため、ハンドルロックが不要となった場合にハンドルロック装置を取り外す際に把手保持部１０２を指で摘む際に引っ掛かりが無いため引き抜きづらいものである。また、隣接したブレーカの把手部に触れて誤動作をさせるという問題もある。
【０００５】
【特許文献１】特開平１１−３０６９３０公報（特に図２）
【特許文献２】特開２００１−１１０２９４公報（特に図１３、１４）
【発明の開示】
【発明が解決しようとする課題】
【０００６】
本発明は前記のような問題を解決するためになされたもので、ハンドルロックが不要となった場合に容易に取り外すことのできるブレーカのハンドルロック装置を提供する。
【課題を解決するための手段】
【０００７】
本発明のブレーカのハンドルロック装置は、ブレーカのハンドルの上端より装着するハンドルロック装置において、ハンドルロック本体に設けたハンドルの把手部を嵌合する把手保持部の外面の少なくとも一面の上部に摘み部を突設したことを特徴とするものを基本の発明とする。
【０００８】
そして、この発明において、ハンドルの把手部を嵌合する把手保持部のハンドルの作動方向の前後外面の少なくともどちらかの上部に摘み部を突設することが好ましいものである。また、ハンドルの把手部を嵌合する把手保持部の上端を開口させた筒状に形成したものとしてもよい。
【発明の効果】
【０００９】
前記した本発明のブレーカのハンドルロック装置は、ハンドルロック本体に設けたハンドルの把手部を嵌合する把手保持部の外面の少なくとも一面の上部に摘み部を突設したものであるので、ハンドルロックが不要となった場合にハンドルロック装置を取り外す際に摘み部に指を係止させて把手保持部を把持してハンドルの上方に向けて引き上げれば、摘み部に指が係止されているので、把手保持部がハンドルの把手部を強固に嵌合されていても容易に取り外すことができるものである。
【００１０】
また、ハンドルの把手部を嵌合する把手保持部のハンドルの作動方向の前後外面の少なくともどちらかの上部に摘み部を突設したものとすると、把手保持部をハンドルの作動方向の両面で把持することになるので指がブレーカの左右側面方向に位置しないので、幅狭のブレーカを併設したものにあっても隣接したブレーカのハンドルに指が当たり誤動作させる虞のないものである。
【発明を実施するための最良の形態】
【００１１】
次に、本発明の好ましい実施の形態を図１乃至図５に基づいて説明すめる。
図１において、１はブレーカ２００のケース２０１のハンドル孔２０１ａに臨むハンドル３００の基部３０１を覆うとともに前記ハンドル孔２０１ａの孔縁２０１ｂに係止する係止爪１ａを設けたハンドルロックベースであり、該ハンドルロックベース１の後部にはハンドル３００の把手部３０２を嵌合する把手保持部２が連設されている。
【００１２】
前記把手保持部２は図３に示すようにハンドル３００の把手部３０２の断面四角状に合せて断面四角状としている。そして、該把手保持部２の外面の少なくとも一面の上部には摘み部３が突設されている。すなわち、図１、図２、図３及び図４に示すものは、ハンドル３００の作動方向となる把手保持部２の前後外面２１、２１の双方の上部に摘み部３設けたものとしている。また、前記前後外面２１、２１の少なくともどちらかの上部に摘み部３を突設したものであってもよく、この場合に摘み部３を突設しない面にはぎざぎざ面とした滑りで止め加工することが好ましいものである。
【００１３】
また、図５に示すように幅広のブレーカ２００にあってはハンドル３００の作動方向の側方となる把手保持部２の左右外面２２、２２の双方の上部に摘み部３を設けたものとしてもよく、或いは、該左右外面２２、２２の少なくともどちらかの上部に摘み部３を突設したものであってもよい。
【００１４】
また、前記把手保持部２は上端を開口させた筒状に形成したものとして、ハンドル３００の把手部３０２の上端面に記載の定格電流等をそのまま表示することができるとしている。また、把手保持部２の筒状の内面には抜け止め用のリブ２ａが設けてあり、ハンドル３００の把手部３０２の側面を押圧して強固に嵌合させて、輸送中の振動によりハンドルロック装置がハンドル３００の把手部３０２より外れることがない上、過電流等によって開閉機構部が強制的に遮断動作してもハンドル３００から当該ハンドルロック装置が外れる事がないものしている。
【００１５】
なお、前記抜け止め用のリブ２ａは図３に示すものにあっては把手保持部２の筒状の内面の前後内面の一方と左右内面の一方に設けている。しかし、前記リブ２ａを設けることにより把手保持部２の前後左右幅が広くなるので、スリムタイプのブレーカのようにブレーカの幅が狭くてハンドルの把手部３００の左右面がブレーカの外幅に近いものにあっては左右幅を広くしないため左右内面には該リブ２ａを設けないものとしている。
【００１６】
また、前記ハンドルロックベース１はハンドル３００の基部３０１の表面のＯＮ、ＯＦＦ表示を視認することができる窓孔１１を設けてある。なお、ハンドルロックベース１に設けた前記係止爪１ａをハンドル３００の把手部３０２がＯＮ及びＯＦＦの位置であるときにブレーカ２００のＯＦＦ側及びＯＮ側に向け斜め下向きに設けて、ケース２０１のハンドル開口孔２０１ａの孔縁２０１ｂに係止するものとしている。
【００１７】
このように構成されたものは、ハンドル３００の把手部３０２を嵌合する把手保持部２の外面の少なくとも一面の上部に摘み部３を突設したものであるので、ハンドルロックが不要となった場合にハンドルロック装置を取り外す際に摘み部３に指を係止させて把手保持部３を把持してハンドル３００の上方に向けて引き上げれば、摘み部３に指が係止されているので、把手保持部２がハンドル３００の把手部３０２に抜け止め用のリブ２ａにより強固に嵌合されていても容易に取り外すことができるものである。
【００１８】
この場合に、図１、図２、図３及び図４に示すように、ハンドル３００の作動方向となる把手保持部２の前後外面２１、２１の双方の上部に摘み部３設けたものとすると、把手保持部２をハンドル３００の作動方向の両面で把持することになるので指がブレーカ２００の左右側面方向に位置しないので、スリムタイプのブレーカのように幅狭のブレーカを併設した分電盤等にあっても隣接したブレーカのハンドルに指が当たり誤動作させる虞のないものである。なお、該前後外面２１、２１の少なくともどちらかの上部に摘み部３を突設したものであってもよい。
【００１９】
また、摘み部３が把手保持部２の上部に突設されていることにより指先が該摘み部３の下方に入り込むことになるので摘み部３への指の係止が確実となり、ハンドルロック装置の取り外しが容易なものである。
【００２０】
さらに、ハンドル３００の把手部３０２を嵌合する把手保持部２を上端を開口させた筒状に形成したものとすると、ハンドル３００の把手部３０２の上端面に記載の定格電流等をそのまま表示することができるものである。
【図面の簡単な説明】
【００２１】
【図１】本発明の実施形態の要部を示す斜視図。
【図２】本発明の実施形態を要部を示す側面図。
【図３】本発明のハンドルロック装置の実施形態の一例を示す図であり、（Ａ）は前方側から示す斜視図、（Ｂ）は後方側から示す斜視図、（Ｃ）は下方側から示す斜視図、（Ｄ）は断面図。
【図４】本発明のハンドルロック装置をスリムタイプのブレーカに装着して示す斜視図。
【図５】本発明のハンドルロック装置の他例を幅広のブレーカに装着して示す斜視図。
【図６】従来のハンドルロック装置の一例を示す図であり、（Ａ）は前方側から示す斜視図、（Ｂ）は上方側から示す斜視図、（Ｃ）は断面図。
【図７】従来のハンドルロック装置をスリムタイプのブレーカに装着して示す斜視図。
【符号の説明】
【００２２】
１  ハンドルロック本体
２  把手保持部
３  摘み部
200  ブレーカ
201a  ハンドル孔
300  ハンドル
302  把手部
【図１】
2010067550.tif 000003
【図２】
2010067550.tif 000004
【図３】
2010067550.tif 000005
【図４】
2010067550.tif 000006
【図５】
2010067550.tif 000007
【図６】
2010067550.tif 000008
【図７】
2010067550.tif 000009